(57)【要約】【課題】  自立薄膜フィルタと接着剤の界面において発生する光のロスの少ない光フィルタユニットを提供する。【解決手段】  光フィルタユニット１には、ダイシングソー等により溝８が形成され、その中に自立薄膜フィルタ４が嵌め込まれて、接着剤７で固定されるようになっている。溝８の幅は約５０μｍ、自立薄膜フィルタ４の幅は約３０μｍである。自立薄膜フィルタ４は、高屈折物質であるNb２Ｏ５の薄膜と、低屈折率物質であるSiＯ２の薄膜を交互に多層重ねて形成されているが、その両最外層は、SiＯ２とされている。SiＯ２の屈折率は、1.46であるので、接着剤７の屈折率もそれとほぼ同じ1.46±0.01となるようなものが使用されている。このような光フィルタユニット１においては、自立薄膜フィルタ４と接着剤７との屈折率の差が0.01以下であるので、それらの界面での反射がほとんど発生しない。【選択図】  図１
2007114661.tif 000002
【特許請求の範囲】
【請求項１】
光を伝搬する透明部材の光路の間に、多層薄膜からなる自立薄膜フィルタを挟み込んで構成される光フィルタユニットであって、前記自立薄膜フィルタを構成する最外層の物質の屈折率と、前記透明部材と前記自立薄膜フィルタを接着する接着剤の屈折率との差が、１／１００以下であることを特徴とする光フィルタユニット。
【請求項２】
前記自立薄膜フィルタを構成する最外層の物質が、SiＯ２であることを特徴とする請求項１に記載の光フィルタユニット。
【発明の詳細な説明】
【技術分野】
【０００１】
本発明は、光フィルタユニットに関するものである。
【背景技術】
【０００２】
光フィルタユニットは、特に光通信の分野において、特殊な波長帯域の光のみを透過させたり、ノイズ成分をカットしたりする等の目的で使用されている。又、導波路と組み合わせ、一つの光を、異なった性質を持つ複数の光に分割する等の目的にも使用されている。
【０００３】
このような目的のために使用される光フィルタとして多層薄膜からなる自立薄膜フィルタがある。これは、多層薄膜に光フィルタ機能を持たせたもので、多層薄膜を保持する他の部材を有しないものである。自立薄膜フィルタは、厚さが３０μｍ程度と非常に薄いので、光学系の小型化に有効である。
【発明の開示】
【発明が解決しようとする課題】
【０００４】
このような自立薄膜フィルタを用いる場合には、その前後に使用される光を伝搬する透明部材（光ファイバや、導波路の光導波部材）と接着剤で接合して使用するのが普通である。従来は、自立薄膜フィルタと接着剤の屈折率の関係はあまり考慮されてこなかった。そのため、自立薄膜フィルタと接着剤の界面において反射が発生し、伝達される光のロスが発生するという問題があった。
【０００５】
本発明はこのような事情に鑑みてなされたもので、自立薄膜フィルタと接着剤の界面において発生する光のロスの少ない光フィルタユニットを提供することを課題とする。
【課題を解決するための手段】
【０００６】
前記課題を解決するための第１の手段は、光を伝搬する透明部材の光路の間に、多層薄膜からなる自立薄膜フィルタを挟み込んで構成される光フィルタユニットであって、前記自立薄膜フィルタを構成する最外層の物質の屈折率と、前記透明部材と前記自立薄膜フィルタを接着する接着剤の屈折率との差が、１／１００以下であることを特徴とする光フィルタユニットである。
【０００７】
本手段においては、透明部材と自立薄膜フィルタを接着する接着剤の屈折率の差が非常に小さいので、両者の界面における反射がほとんど発生せず、そのため、この界面における光のロスが小さくなる。
【０００８】
前記課題を解決するための第２の手段は、前記第１の手段であって、前記自立薄膜フィルタを構成する最外層の物質が、SiＯ２であることを特徴とするものである。
【０００９】
SiＯ２は、光ファイバ、及び導波路における光導波部材として使用されることが非常に多い。よって、自立薄膜フィルタを構成する最外層の物質をSiＯ２で構成し、この屈折率と接着剤の屈折率をほとんど同じにしておけば、光ファイバや導波路における光導波部材のような光を伝搬する透明部材の屈折率と接着剤の屈折率もほとんど同じ、となり、これらの界面においても反射が小さくなり、光のロスを小さく抑えることができる。
【発明の効果】
【００１０】
本発明によれば、自立薄膜フィルタと接着剤の界面において発生する光のロスの少ない光フィルタユニットを提供することができる。
【発明を実施するための最良の形態】
【００１１】
以下、本発明の実施の形態の例を、図を用いて説明する。図１は、導波路でもある、本発明の第１の実施の形態である光フィルタユニットの概要を示す図であり、（ａ）は、（ｂ）におけるＢ−Ｂ平断面図、（ｂ）は（ａ）におけるＡ−Ａ縦断面図である。
【００１２】
入側光ファイバ２からの光は、光フィルタユニット１に入射する。通常光ファイバと導波路の接続にはコネクタが使用されるが、本発明に関係がないので図示を省略している（出側についても同じ）。光フィルタユニット１に入射した光は、光フィルタユニット１中の光を伝搬する透明部材である光導波部材３を伝わって、多層膜からなる自立薄膜フィルタ４を透過し、２つの性質（例えば周波数）の異なる光に分離される。分離された光は、再び光フィルタユニット１中の光導波部材３を透過し、出側光ファイバ５，６から出力される。なお、自立薄膜フィルタ４は、入側の光導波部材３の光軸に対して、わずかながら傾けて配置されている。
【００１３】
図１（ｂ）に示すように、光フィルタユニット１には、光導波部材３を切断するようにダイシングソー等により溝８が形成され、その中に自立薄膜フィルタ４が嵌め込まれて、接着剤７で固定されるようになっている。溝８の幅は約５０μｍ、自立薄膜フィルタ４の幅は約３０μｍである。
【００１４】
自立薄膜フィルタ４は、高屈折率物質であるNb２Ｏ５の薄膜と、低屈折率物質であるSiＯ２の薄膜を交互に多層重ねて形成されているが、その両最外層は、SiＯ２とされている。SiＯ２の屈折率は、1.46であるので、接着剤７の屈折率もそれとほぼ同じ1.46±0.01となるようなものが使用されている。「工業材料」２００５年７月号に記載される「光学接着剤の最新技術」によれば、このような屈折率を有する屈折率制御エポキシ系光接合用ＵＶ光学接着剤を得ることができる。
【００１５】
このような光フィルタユニット１においては、自立薄膜フィルタ４と接着剤７との屈折率の差が0.01以下であるので、それらの界面での反射がほとんど発生しない。これらの屈折率の差が0.01を超えると反射が大きくなり光のロスが大きくなって好ましくない。又、通常光導波部材３もSiＯ２で形成されるので、このようにしておけば、光導波部材３と接着剤７との間での反射も小さく抑えることができる。
【００１６】
図２は、光ファイバコネクタでもある、本発明の第２の実施の形態である光フィルタユニットの概要を示す図であり、（ａ）は、（ｂ）におけるＢ−Ｂ平断面図、（ｂ）は（ａ）におけるＡ−Ａ縦断面図である。なお、図２において、図１に示された構成要素と同じ構成要素には同じ符号を付してその説明を省略することがある。
【００１７】
入側光ファイバ２は、光ファイバコネクタの筐体１１中に挿入される。入側光ファイバ２から放出された光は、多層膜からなる自立薄膜フィルタ４を透過し、特定周波数を持った光となったり、ノイズ分が低減された光となったりする。自立薄膜フィルタ４を透過した光は、出側光ファイバ１２に入射し、伝送される。
【００１８】
図１（ｂ）に示すように、筐体１１には、ダイシングソー等により溝８が形成され、その中に自立薄膜フィルタ４が嵌め込まれて、接着剤７で固定されるようになっている。溝８の幅は約５０μｍ、自立薄膜フィルタ４の幅は約３０μｍである。
【００１９】
自立薄膜フィルタ４は、高屈折率物質であるNb２Ｏ５の薄膜と、低屈折率物質であるSiＯ２の薄膜を交互に多層重ねて形成されているが、その両最外層は、SiＯ２とされている。SiＯ２の屈折率は、1.46であるので、接着剤７の屈折率もそれとほぼ同じ1.46±0.01となるようなものが使用されている。
【００２０】
このような光ファイバコネクタにおいては、自立薄膜フィルタ４と接着剤７との屈折率の差が0.01以下であるので、それらの界面での反射がほとんど発生しない。これらの屈折率の差が0.01を超えると反射が大きくなり光のロスが大きくなって好ましくない。又、光ファイバのコアもSiＯ２で形成されることが多いので、このようにしておけば、入側光ファイバ２と自立薄膜フィルタ４との間、自立薄膜フィルタ４と出側光ファイバ１２の間での反射も小さく抑えることができる。
【図面の簡単な説明】
【００２１】
【図１】本発明の第１の実施の形態である光フィルタユニットの概要を示す図である。
【図２】本発明の第２の実施の形態である光フィルタユニットの概要を示す図である。
【符号の説明】
【００２２】
１…光フィルタユニット、２…入側光ファイバ、３…光導波部材、４…自立薄膜フィルタ、５…出側光ファイバ、６…出側光ファイバ、７…接着剤、８…溝、１１…筐体、１２…出側光ファイバ
【図１】
2007114661.tif 000003
【図２】
2007114661.tif 000004